(57)【要約】【課題】印刷機及び印刷方法において、印刷装置または印刷機全体のコンパクト化を可能とする。【解決手段】ウェブＷを供給する給紙装置Ｒと、給紙装置Ｒから繰り出されたウェブＷに対して版胴１２及びブランケット胴１３を用いて印刷を行う印刷装置Ｕと、印刷装置Ｕにより印刷が施されたウェブＷを裁断すると共に重ねて折り畳むことで新聞を形成する折機Ｆとを設け、版胴１２の周長を、ブロード形式の新聞の長手方向の大きさの略整数倍に設定する。【選択図】      図１
2012158055.tif 000002
【特許請求の範囲】
【請求項１】
ウェブを供給する給紙装置と、
前記給紙装置から繰り出された前記ウェブに対して印刷胴を用いて印刷を行う印刷装置と、
前記印刷装置により印刷が施された前記ウェブを裁断すると共に重ねて折り畳むことで折帖を形成する折機と、を備え、
前記印刷胴の周長はブロード形式の印刷物の長手方向の大きさの略整数倍に設定されると共に、前記印刷胴の幅は前記ブロード形式の印刷物の縦方向の大きさの略整数倍に設定されている、
ことを特徴とする印刷機。
【請求項２】
前記印刷装置は、刷版が装着される版胴と、前記版胴のインキを前記ウェブに転写するブランケット胴を有し、前記版胴の周長は、使用可能なウェブの最大紙幅の略ｎ／２倍（ｎは自然数）の大きさに設定されることを特徴とする請求項１に記載の印刷機。
【請求項３】
前記ｎは、１または２であることを特徴とする請求項２に記載の印刷機。
【請求項４】
印刷済のウェブを縦裁断してから重ねるウェブパス装置を設け、前記折機は、縦裁断されて重ねられた縦折をしていない複数のウェブを横裁断し、横折りしてから縦折して印刷物を形成することを特徴とする請求項１または２に記載の印刷機。
【請求項５】
前記折機は、印刷済のウェブを縦裁断するカッタ装置を有し、縦裁断されて重ねられた複数のウェブを横裁断し、横折りしてから縦折して印刷物を形成することを特徴とする請求項１または２に記載の印刷機。
【請求項６】
前記折機は、印刷済のウェブを縦裁断するカッタ装置と、縦裁断されて重ねられた複数のウェブを横裁断、横折り、縦折してブロード形式の印刷物を形成する第１搬送経路と、縦裁断されて重ねられた複数のウェブを横裁断、縦折してタブロイド形式の印刷物を形成する第２搬送経路とを有することを特徴とする請求項１または２に記載の印刷機。
【請求項７】
前記印刷装置は、複数の印刷ユニットを有し、前記折機は、印刷済のウェブを縦裁断する複数のカッタ装置と、縦裁断されて重ねられた複数のウェブを裁断及び折りを行って印刷物を形成する複数の搬送経路と、前記カッタ装置で縦裁断されたウェブを前記複数の搬送経路が振り分ける振分機構とを有することを特徴とする請求項６に記載の印刷機。
【請求項８】
前記カッタ装置は、第１の三角板と、前記第１の三角板における底辺の半分の位置で２等分された大きさの第２の三角板とを隣接して水平に並べることで案内板として配置し、上部に少なくとも２つのカッタを均等間隔で配置して構成されることを特徴とする請求項５から７のいずれか一つに記載の印刷機。
【請求項９】
独立駆動可能な複数の給紙ユニットを有する給紙装置と、
独立駆動可能な複数の印刷ユニットを有する印刷装置と、
印刷済のウェブを縦裁断して複数の搬送経路に振り分ける振り分け装置と、
振り分けられたそれぞれのウェブを独立で裁断して重ねて折り畳むことで複数の折帖を作成可能な複数の折ユニットを有する折機と、を備え、
前記給紙装置と前記印刷装置と前記振り分け装置と前記折機を駆動制御することで複数の印刷物を異なる速度でも同時に作成可能な印刷機において、
前記印刷胴の周長はブロード形式の印刷物の長手方向の大きさの略整数倍に設定されると共に、前記印刷胴の幅は前記ブロード形式の印刷物の縦方向の大きさの略整数倍に設定されている、
ことを特徴とする印刷機。
【請求項１０】
ブロード形式の印刷物の長手方向がウェブの搬送方向となるようにするとともに、前記ブロード形式の印刷物の縦方向の大きさの略整数倍が印刷胴の幅方向の大きさと対応する印刷装置により、前記ウェブに対して印刷を行うことを特徴とする印刷方法。
【請求項１１】
印刷済のウェブを縦裁断してから重ね、重ねられた縦折をしていない複数のウェブを横裁断し、横折りしてから縦折してブロード形式の印刷物を形成することを特徴とする請求項１０に記載の印刷方法。
【請求項１２】
印刷済のウェブを縦裁断してから重ね、重ねられた複数のウェブを横裁断し、縦折してタブロイド形式の印刷物を形成することを特徴とする請求項１０に記載の印刷方法。
【発明の詳細な説明】
【技術分野】
【０００１】
本発明は、例えば、新聞などの印刷物を製作する印刷機及び印刷方法に関するものである。
【背景技術】
【０００２】
例えば、一般的な新聞用オフセット輪転印刷機は、複数の給紙ユニットを有する給紙装置と、複数の印刷ユニットを有する印刷装置と、ウェブパス装置と、複数の折ユニットを有する折機と、排紙装置とから構成されている。従って、給紙装置から各印刷ユニットにウェブが供給されると、各ウェブに対して各印刷ユニットにより印刷が施され、ウェブパス装置で多数のウェブの走行ルートが変更されてから所定の順番に重ね合わされた後、折機にて、ウェブが縦折りされてから所定の長さで横裁断され、横折されることで折帖が形成され、印刷物（新聞）として排紙される。
【０００３】
このような新聞用オフセット輪転印刷機により、ブロード形式（ブランケット形式）の新聞を製作するとき、印刷ユニットは、ウェブの搬送方向が新聞の天地方向（上下方向）となるようにウェブに対して印刷を行い、これを裁断して折り込むようにしている。
【０００４】
なお、このような従来の新聞用オフセット輪転印刷機としては、下記特許文献１に記載されたものがある。
【先行技術文献】
【特許文献】
【０００５】
【特許文献１】特開２００７−２９６８５０号公報
【発明の概要】
【発明が解決しようとする課題】
【０００６】
上述した従来の新聞用オフセット輪転印刷機では、印刷装置または印刷機全体のコンパクト化を図ることが今後の課題となっている。
【０００７】
本発明は上述した課題を解決するものであり、印刷装置または印刷機全体のコンパクト化を可能とする印刷機及び印刷方法を提供することを目的とする。
【課題を解決するための手段】
【０００８】
上記の目的を達成するための本発明の印刷機は、ウェブを供給する給紙装置と、前記給紙装置から繰り出された前記ウェブに対して印刷胴を用いて印刷を行う印刷装置と、前記印刷装置により印刷が施された前記ウェブを裁断すると共に重ねて折り畳むことで折帖を形成する折機と、を備え、前記印刷胴の周長は、ブロード形式の印刷物の長手方向の大きさの略整数倍に設定されると共に、前記印刷胴の幅は前記ブロード形式の印刷物の縦方向の大きさの略整数倍に設定されている、ことを特徴とするものである。
【０００９】
従って、印刷装置または印刷機全体のコンパクト化を実現することができる。
なお、印刷胴の周長がブロード形式の印刷物の長手方向の大きさと、印刷胴の幅がブロード形式の印刷物の縦方向の大きさについて、適切な略整数倍の数に設定すると、ブロード形式の印刷物が、従来とほぼ同じサイズで、且つ、従来よりも多くの印刷頁を得ることができる。即ち、１つの巻取紙（ウェブ）に対して、従来よりも多頁の印刷をすることも可能となる。言い換えると、従来と比較して１つの印刷ユニットで印刷できる頁数を多くすることも可能となる。その結果、従来よりも少ない印刷装置で、従来と同等の多頁印刷を実現することもできるので、印刷装置または印刷機全体のコンパクト化を可能とすることができる。この場合、従来と同等の最大紙幅は、ブロード形式の印刷物の縦寸法の略整数倍との関係にあるため、適切な倍数を選択（例えば、ブロード形式の印刷物の縦寸法の３倍）すれば、従来と同様の最大紙幅の巻取紙を使うことも可能となる。
【００１０】
本発明の印刷機では、前記印刷装置は、刷版が装着される版胴と、前記版胴のインキを前記ウェブに転写するブランケット胴を有し、前記版胴の周長は、使用可能なウェブの最大紙幅の略ｎ／２倍（ｎは自然数）の大きさに設定されることを特徴としている。
【００１１】
従って、版胴の周長がウェブの最大紙幅の略ｎ／２倍（ｎは自然数）の大きさとなるように設定することで、版胴の周長と最大紙幅（版胴の軸方向長さ）との比率を規定することとなり、適切な版胴径と版胴幅の組合せとすることができる。その結果、多頁対応にも拘わらず印刷装置の大型化、または、印刷装置または印刷機全体の大型化を防ぐことができる。即ち、１つの巻取紙（ウェブ）に対して、従来よりも１．５倍多くの頁を印刷することができる。これは、巻取紙のリールに換算すると、例えば、４リールで６リール相当の印刷を行うことができるので、従来機と同頁の印刷が可能な本発明の印刷機では、従来機よりも印刷ユニットを削減することが可能であるので、印刷装置または印刷機全体の大型を防ぐことができる。このように、印刷ユニットを削減できると、オペレータの配置を集約することができるので、印刷機のオペレータ人員を削減することも可能である。また、従来と同様の最大紙幅の巻取紙を使うことも可能であり、利便性が良い。
【００１２】
本発明の印刷機では、前記ｎは、１または２であることを特徴としている。
【００１３】
従って、印刷装置に対して、版胴の大きさの最適化を可能とすることができる。即ち、従来から一般的に汎用機として使用されている印刷装置は、版胴の周方向に１頁で長手方向に４頁を印刷可能な刷版が装着された、所謂、４×１機（１頁周長の版胴単胴機）、版胴の周方向に２頁で長手方向に４頁を印刷可能な刷版が装着された、所謂、４×２機（２頁周長の版胴倍胴機）であり、この印刷装置に対応して版胴の大きさを最適化しつつ、１つの巻取紙（ウェブ）に対して、従来よりも多頁の印刷をすることができる。
【００１４】
本発明の印刷機では、印刷済のウェブを縦裁断してから重ねるウェブパス装置を設け、前記折機は、縦裁断されて重ねられた縦折をしていない複数のウェブを横裁断し、横折りしてから縦折して印刷物を形成することを特徴としている。
【００１５】
従って、従来の印刷機と同様に、ウェブパス装置を用いて印刷済のウェブを縦裁断して重ねることができ、印刷装置または印刷装置または印刷機全体のコンパクト化を可能とすることができる。
なお、通常、新聞輪転機は、単色の印刷ユニットとカラーの印刷ユニットとの組合せから構成されることが多く、この場合、新聞の印刷物を作成する際にカラー頁を所望の位置に入れるためにベイウィンドー装置が必要となってしまう。それに対して、本発明の印刷装置をカラーの印刷装置にした場合、カラー頁数を増やすことが可能であるため、単色の印刷ユニットを全て削減して、カラーの印刷ユニットだけで構成することも可能となる。その場合、ベイウィンドー装置を必ずしも設ける必要がなくなり、ウェブパス装置を簡素化も図ることができる。
【００１６】
本発明の印刷機において、前記折機は、印刷済のウェブを縦裁断するカッタ装置を有し、縦裁断されて重ねられた複数のウェブを横裁断し、横折りしてから縦折して印刷物を形成することを特徴としている。
【００１７】
従って、折機にカッタ装置を設けるだけで、ブロード形式の印刷だけでなく、タブロイド形式の印刷もすることができる。
【００１８】
本発明の印刷機では、前記折機は、印刷済のウェブを縦裁断するカッタ装置と、縦裁断されて重ねられた複数のウェブを横裁断、横折り、縦折してブロード形式の印刷物を形成する第１搬送経路と、縦裁断されて重ねられた複数のウェブを横裁断、縦折してタブロイド形式の印刷物を形成する第２搬送経路とを有することを特徴としている。
【００１９】
従って、ブロード形式の印刷物だけでなく、タブロイド形式の印刷物を印刷することができ、装置の汎用性を向上することができる。
【００２０】
本発明の印刷機では、前記印刷装置は、複数の印刷ユニットを有し、前記折機は、印刷済のウェブを縦裁断する複数のカッタ装置と、縦裁断されて重ねられた複数のウェブを裁断及び折りを行って印刷物を形成する複数の搬送経路と、前記カッタ装置で縦裁断されたウェブを前記複数の搬送経路が振り分ける振分機構とを有することを特徴としている。
【００２１】
従って、複数種類の印刷物を同時に印刷することが可能となる。また、複数の搬送経路に振り分ける振り分け装置により、作成可能な印刷物の折帳のバリエーションが増える。
【００２２】
本発明の印刷機では、前記カッタ装置は、第１の三角板と、前記第１の三角板における底辺の半分の位置で２等分された大きさの第２の三角板とを隣接して水平に並べることで案内板として配置し、上部に少なくとも２つのカッタを均等間隔で配置して構成されることを特徴としている。
【００２３】
従って、折機の構成として従来から使用されている既存の三角板の配置構成を利用し、且つ、カッタを適正に配置することで、ウェブを適正に縦裁断することができると共に、縦裁断されたウェブを適正に案内することができる。
【００２４】
また、本発明の印刷機は、独立駆動可能な複数の給紙ユニットを有する給紙装置と、独立駆動可能な複数の印刷ユニットを有する印刷装置と、印刷済のウェブを縦裁断して複数の搬送経路に振り分ける振り分け装置と、振り分けられたそれぞれのウェブを独立で裁断して重ねて折り畳むことで複数の折帖を作成可能な複数の折ユニットを有する折機と、を備え、前記給紙装置と前記印刷装置と前記振り分け装置と前記折機を駆動制御することで複数の印刷物を異なる速度でも同時に作成可能な印刷機において、前記印刷胴の周長はブロード形式の印刷物の長手方向の大きさの略整数倍に設定されると共に、前記印刷胴の幅は前記ブロード形式の印刷物の縦方向の大きさの略整数倍に設定されている、ことを特徴とするものである。
【００２５】
従って、印刷装置または印刷機全体のコンパクト化を実現できるだけでなく、各ユニットにて、異なる種類の印刷物を同時に作成することができる。また、複数の搬送経路に振り分ける振り分け装置により、作成可能な印刷物の折帳のバリエーションが増える。
なお、１つの印刷機で異なる種類の印刷物を同時に作成する場合は、１つの印刷機で１つの印刷物を印刷する場合よりも、印刷ジョブ（印刷ロット）が頻繁に変わることになる。一方、印刷胴の周長をブロード形式の印刷物の長手方向の大きさに合わせて、また、印刷胴の幅をブロード形式の印刷物の縦方向の大きさに合わせて適正に設定することで、従来よりも１つの印刷ユニットに多くの頁を集約できる。即ち、版交換する場所（印刷ユニット）も集約される方向になる。従って、異なる種類の印刷物を同時に印刷する場合に、頻繁に発生する印刷ジョブの変更に対しても、作業効率が向上し、準備時間を短縮することができる。
そして、印刷胴の周長をブロード形式の印刷物の長手方向の大きさに合わせて、また、印刷胴の幅をブロード形式の印刷物の縦方向の大きさに合わせて適正に設定することで、ブロード形式の印刷物を、従来とほぼ同じサイズで、且つ、従来よりも多くの印刷頁をもって形成することができる。その結果として、印刷装置または印刷機全体のコンパクト化を可能とすることもできる。
更に、従来機よりも例えば印刷ユニットを削減でき、印刷装置または印刷機全体のコンパクト化を可能とするので、異なる種類の印刷物を同時に印刷する場合の制御も従来よりも簡潔な制御とすることができる。
【００２６】
また、本発明の印刷方法は、ブロード形式の印刷物の長手方向がウェブの搬送方向となるようにするとともに、前記ブロード形式の印刷物の縦方向の大きさの略整数倍が印刷胴の幅方向の大きさと対応する印刷装置により、前記ウェブに対して印刷を行うことを特徴とするものである。
【００２７】
従って、印刷装置または印刷機全体のコンパクト化を実現できるだけでなく、ブロード形式の印刷物の長手方向がウェブの搬送方向となるようにするとともに、ブロード形式の印刷物の縦方向の大きさの略整数倍が印刷胴の幅方向の大きさと対応する印刷装置により、ウェブに印刷を行うと、ブロード形式の印刷物を作成する場合、従来とほぼ同じサイズのものを得ることができる。
なお、印刷胴の幅方向の大きさをブロード形式の印刷物の縦方向の大きさの略整数倍の関係とする際にその値を適正値にすると（例えば、約３）、１つの巻取紙（ウェブ）に対して、従来よりも多頁の印刷をすることも可能となる。言い換えると、従来と比較して１つの印刷ユニットで印刷できる頁数を多くすることも可能となる。その結果、従来よりも少ない印刷装置で、従来と同等の多頁印刷を実現することもできるので、印刷装置または印刷機全体のコンパクト化を可能とすることができる。
【００２８】
本発明の印刷方法では、印刷済のウェブを縦裁断してから重ね、重ねられた複数の縦折をしていないウェブを横裁断し、横折りしてから縦折してブロード形式の印刷物を形成することを特徴としている。
【００２９】
従って、容易にブロード形式の印刷物を印刷することができる。
【００３０】
本発明の印刷方法では、印刷済のウェブを縦裁断してから重ね、重ねられた複数のウェブを横裁断し、縦折してタブロイド形式の印刷物を形成することを特徴としている。
【００３１】
従って、容易にタブロイド形式の印刷物を印刷することができる。
【発明の効果】
【００３２】
本発明の印刷機及び印刷方法によれば、印刷胴の周長をブロード形式の印刷物の長手方向の大きさの略整数倍に設定すると共に、印刷胴の幅をブロード形式の印刷物の縦方向の大きさの略整数倍に設定し、ブロード形式の印刷物の長手方向がウェブの搬送方向となるようにウェブに対して印刷を行うので、印刷装置または印刷機全体のコンパクト化を可能とすることができる。
【図面の簡単な説明】
【００３３】
【図１】図１は、本発明の実施例１に係る新聞用オフセット輪転印刷機を表す概略構成図である。
【図２】図２は、実施例１の印刷機に適用される折機を表す概略構成図である。
【図３】図３は、実施例１の印刷機における版胴及びブランケット胴を表す概略図である。
【図４】図４は、ウェブに対する印刷形態を表す概略図である。
【図５】図５は、ウェブの裁断・折り形態を表す概略図である。
【図６−１】図６−１は、従来の印刷済のウェブを表す概略図である。
【図６−２】図６−２は、実施例１の印刷済のウェブを表す概略図である。
【図７】図７は、本発明の実施例２に係る新聞用オフセット輪転印刷機を表す概略構成図である。
【図８】図８は、実施例２の印刷機に適用される折機を表す概略構成図である。
【図９】図９は、本発明の実施例３に係る新聞用オフセット輪転印刷機を表す概略構成図である。
【図１０】図１０は、実施例３の印刷機に適用される折機を表す概略構成図である。
【図１１】図１１は、本発明の実施例４に係る新聞用オフセット輪転印刷機を表す概略構成図である。
【図１２】図１２は、ウェブに対する印刷形態及び裁断・折り形態を表す概略図である。
【図１３】図１３は、本発明の実施例５に係る新聞用オフセット輪転印刷機を表す概略構成図である。
【図１４】図１４は、実施例５の印刷機に適用される折機を表す概略構成図である。
【図１５】図１５は、本発明の実施例６に係る新聞用オフセット輪転印刷機を表す概略構成図である。
【図１６】図１６は、実施例６の印刷機に適用される折機を表す概略構成図である。
【発明を実施するための形態】
【００３４】
以下に添付図面を参照して、本発明に係る印刷機及び印刷方法の好適な実施例を詳細に説明する。なお、この実施例により本発明が限定されるものではなく、また、実施例が複数ある場合には、各実施例を組み合わせて構成するものも含むものである。
【実施例１】
【００３５】
図１は、本発明の実施例１に係る新聞用オフセット輪転印刷機を表す概略構成図、図２は、実施例１の印刷機に適用される折機を表す概略構成図、図３は、実施例１の印刷機における版胴及びブランケット胴を表す概略図、図４は、ウェブに対する印刷形態を表す概略図、図５は、ウェブの裁断・折り形態を表す概略図、図６−１は、従来の印刷済のウェブを表す概略図、図６−２は、実施例１の印刷済のウェブを表す概略図である。
【００３６】
実施例１の印刷機は、図１に示すように、新聞用オフセット輪転印刷機１０であって、複数（本実施例では、２台）の給紙ユニットＲ１，Ｒ２を有する給紙装置Ｒと、複数（本実施例では、２台）の印刷ユニットＵ１，Ｕ２を有する印刷装置Ｕと、複数（本実施例では、２台）のウェブパスユニットＤ１，Ｄ２を有するウェブパス装置Ｄと、折機Ｆとから構成されている。
【００３７】
なお、印刷ユニットＵ１，Ｕ２を２台として説明したが、各印刷ユニットＵ１，Ｕ２は、４色刷りが可能であると共に、上下に分割して４台の印刷ユニットＵ１１，Ｕ１２，Ｕ２１，Ｕ２２として用いることができる。
【００３８】
そして、本実施例の新聞用オフセット輪転印刷機１０では、図示しない建屋の１階に給紙ユニットＲ１，Ｒ２が設置され、２階及び３階に印刷ユニットＵ１，Ｕ２が設置され、３階から５階にウェブパス装置Ｄが設置され、また、２階、３階に折機Ｆが設置されている。
【００３９】
上述した給紙装置Ｒの給紙ユニットＲ１，Ｒ２は、ほぼ同様の構成をなし、ウェブＷがロール状に巻かれた３つの巻取紙を保持する保持アーム１１が設けられ、この保持アーム１１を回動することで、巻取紙を給紙位置に回動することができる。また、この各給紙ユニットＲ１，Ｒ２には、図示しない紙継装置が設けられており、給紙位置で繰り出されている巻取紙が残り少なくなると、この紙継装置により給紙位置にある巻取紙に対して、待機位置にある巻取紙を紙継することができる。
【００４０】
印刷装置Ｕの印刷ユニットＵ１，Ｕ２は、ほぼ同様の構成をなし、両面４色印刷を行うことができる多色刷印刷ユニットである。但し、各印刷ユニットＵ１，Ｕ２は、上下に分割することで、両面２色印刷を行うことができる印刷ユニットＵ１１〜Ｕ２２とすることができる。また、各印刷ユニットＵ１，Ｕ２は、版胴１２、ブランケット胴１３、図示しないインキ装置を有しており、版胴１２の周長（直径）とブランケット胴１３の周長（直径）が同じである２倍胴に設定されている。
【００４１】
即ち、版胴１２は、その周面に、周方向（ウェブＷの搬送方向）に沿って２つの刷版（図示略）が着脱自在であると共に、軸方向（ウェブＷの幅方向）に沿って３つの版胴が着脱自在となっている。この場合、周方向に並べた２つの刷版を一体とした構成としてもよい。
【００４２】
従って、各給紙ユニットＲ１，Ｒ２から供給されたウェブＷが各印刷ユニットＵ１，Ｕ２を通過することで、このウェブＷの表裏に対して同時に４色印刷を行うことができる。
【００４３】
なお、本実施例では、印刷ユニットＵ１，Ｕ２を、全て多色刷印刷ユニットにより構成したが、この構成に限定されるものではない。例えば、両面２色刷印刷ユニット、両面単色刷印刷ユニット、一面４色または単色刷印刷ユニットなど、印刷物に応じて適宜各種ユニットを組み合わせて使用すればよい。また、印刷ユニットの台数も２台に限るものではない。
【００４４】
ウェブパス装置ＤのウェブパスユニットＤ１，Ｄ２は、ほぼ同様の構成をなし、ウェブＷを走行するための駆動力を付与するドラグローラ２１、ウェブＷを縦方向（ウェブＷの搬送方向）に沿ってその幅方向で３つに均等に裁断するスリッタ（カッタ装置）２２、縦裁断したウェブＷの搬送経路を設定するターンバー２３、ウェブＷにおける長手方向における搬送位置を調整するコンペンセータ２４を有している。
【００４５】
従って、各印刷ユニットＵ１，Ｕ２で印刷が施された各ウェブＷは、各ウェブパスユニットＤ１，Ｄ２にて、ドラグローラ２１により所定の速度で搬送され、スリッタ２２により３つに縦裁断され、ターンバー２３により搬送経路が変更され、コンペンセータ２４により各ウェブＷにおける搬送方向の位置が調整されてから所定の順番に重ね合わされる。
【００４６】
折機Ｆは、ドラグローラ３１と、ジョウフォルダ式の折ユニット３２と、チョッパ折装置３３を有している。従って、ウェブパス装置Ｄから複数のウェブＷが重ねられた状態でドラグローラ３１により案内されながら搬送されると、この複数のウェブＷは、折ユニット３２にて、所定の長さに横裁断されてから横折りされた後、チョッパ折装置３３により縦折されて折帖が製作され、新聞として排紙される。
【００４７】
ここで、折機Ｆについて詳細に説明する。この折機Ｆは、図２に示すように、ジョウフォルダ式であって、最上部には、表面印刷及び裏面印刷が施されたウェブＷを下方に搬入するニッピングローラ４１が設けられ、このニッピングローラ４１の下方に一対のニッピングローラ４２が設けられている。そして、このニッピングローラ４１，４２の下方には、鋸胴４３と折胴４４がウェブＷを挟んで左右に対向して配設されており、折胴４４に対向して咥胴４５が設けられている。更に、咥胴４５に隣接してチョッパ折装置３３が設けられると共に、このチョッパ折装置３３の下方には、排紙コンベア４６が設けられている。本実施例にて、鋸胴４３は２倍胴、折胴４４及び咥胴４５は３倍胴に設定されおり、鋸胴４３、折胴４４、咥胴４５は、同じ周速で同期回転している。
【００４８】
鋸胴４３は、その周面に周方向に均等間隔で、つまり、１８０度対向して鋸刃５１ａ，５１ｂが設けられている。一方、折胴４４は、その周面に周方向に均等間隔で、つまり、１２０度対向して鋸刃受５２ａ，５２ｂ，５２ｃが設けられている。そして、鋸刃５１ａ，５１ｂと鋸刃受５２ａ，５２ｂ，５２ｃが互いに対向するように、その回転位相が設定されている。そのため、鋸胴４３と折胴４４が同期回転し、鋸刃５１ａ，５１ｂと鋸刃受５２ａ，５２ｂ，５２ｃが対向して一致するときに、この鋸刃５１ａ，５１ｂによりウェブＷを横裁断し、所定長さのシートＳ１，Ｓ２を形成することができる。
【００４９】
また、折胴４４は、その周面に周方向に均等間隔で、つまり、１２０度対向して針装置５３ａ，５３ｂ，５３ｃが、鋸刃受５２ａ，５２ｂ，５２ｃより折胴４４の回転方向における上流側に設けられている。この針装置５３ａ，５３ｂ，５３ｃは、駆動モータ５４ａ，５４ｂ，５４ｃにより折胴４４の回転に応じて作動するものであり、所定の位置で、針を外方に突出することで、ウェブＷの走行方向における先端部を保持することができ、所定の位置で、針を戻すことで、ウェブＷ（シートＳ１，Ｓ２）の先端部の保持を解除することができる。
【００５０】
更に、折胴４４は、その周面に周方向に均等間隔で、つまり、１２０度対向して折ブレード５５ａ，５５ｂ，５５ｃが設けられており、この折ブレード５５ａ，５５ｂ，５５ｃは、針装置５３ａ，５３ｂ，５３ｃとほぼ６０度位相がずれて位置している。この折ブレード５５ａ，５５ｂ，５５ｃは、作動装置（例えば、カム機構）５６ａ，５６ｂ，５６ｃにより折胴４４の回転に応じて作動するものであり、所定の位置で、折ブレード５５ａ，５５ｂ，５５ｃの先端部が外方に突出することで、鋸刃５１ａ，５１ｂにより裁断されたシートＳを折胴４４の周面から引き剥がすことができる。
【００５１】
また、咥胴４５は、その周面に周方向に均等間隔で、つまり、１２０度対向して咥え装置５７ａ，５７ｂ，５７ｃが設けられており、この咥え装置５７ａ，５７ｂ，５７ｃは、作動装置（例えば、カム機構）５８ａ，５８ｂ，５８ｃにより咥胴４５の回転に応じて作動するものであり、所定の位置で、折ブレード５５ａ，５５ｂ，５５ｃにより突き出されたシートＳ１またはＳ２を咥えて搬送することができる。
【００５２】
なお、本実施例では、鋸刃５１ａ，５１ｂ、鋸刃受５２ａ，５２ｂ，５３ｃ、針装置５３ａ，５３ｂ，５３ｃ、折ブレード５５ａ，５５ｂ，５５ｃ、咥え装置５７ａ，５７ｂ，５７ｃを、鋸胴４３、折胴４４、咥胴４５の外周部に２組または３組設けたが、この数に限定されるものではなく、鋸胴４３、折胴４４、咥胴４５の径により、１組または３組以上設けてもよい。
【００５３】
チョッパ折装置３３において、チョッパテーブル６１が水平に配設され、このチョッパテーブル６１の上方には、上搬送コンベア６２が配置されると共に、下搬送コンベア６３が配置されている。各搬送コンベア６２，６３は、無端の搬送ベルトと複数のガイドローラと駆動ローラとを有し、咥胴４５が解除した折帖Ｎを上下から挟持してチョッパテーブル６１上の所定の位置まで搬送することができる。
【００５４】
チョッパテーブル６１は、その所定の位置にスリット６４が形成されると共に、スリット６４より折帖Ｎの搬送方向の下流側に隣接してストッパ６５が設けられている。このストッパ６５は、搬送コンベア６２，６３により搬送される折帖Ｎの先端部が当接することで、そのチョッパ折り位置を規定するものである。スリット６４の上方には、ストッパ６５に当接した折帖Ｎの中央部に接触してスリット６４内に押し込むチョッパブレード６６が配設されており、図示しない駆動装置によりチョッパブレード６６を上下方向に沿って移動可能となっている。
【００５５】
そして、チョッパテーブル６１の下方には、スリット６４の下方に対向して、このスリット６４から下降した折帖Ｎをニップ圧により挟み込んで折り曲げる一対の折込ローラ６７が回転可能に設けられている。
【００５６】
従って、鋸胴４３、折胴４４、咥胴４５を連動することで、複数枚重ねられたウェブＷを横裁断し、横折りされた後にチョッパ折装置３３により縦折されて折帖としての新聞が製作される。この折機Ｆの詳細な作動は後述する。
【００５７】
ところで、従来、ブロード形式の新聞を製作する場合、図６−１に示すように、幅Ｗが１６２６ｍｍのウェブＷを使用し、新聞の長手方向（幅方向）がウェブＷの幅方向となるように、このウェブＷに対して印刷を行っている。即ち、版胴に周面に対して、２種類の刷版を、その天地方向が版胴の周方向となるように、版胴の軸方向に並んで取付ける。そして、この版胴を２つ用いて印刷を行うと、ウェブＷは、その表面及び裏面に新聞の天地方向がウェブＷの長手方向となるように印刷が施される。そして、この印刷済のウェブＷを幅方向の中央部で縦裁断した後に重ね合わせると共に、更に別の印刷ユニットで印刷された複数のウェブＷと重ね合わせた後、所定の位置で横裁断し、縦折されてから横折されることで新聞が製作される。この場合、新聞は、天地方向の長さＨ１が５４６ｍｍであり、左右方向（幅方向）の長さＷ１が８１３ｍｍとなる。
【００５８】
しかし、この場合、１つの版胴は、軸方向に２種類の刷版しか装着することができないことから、１つの印刷ユニットでは、２つの版胴を用いることで、最大で８頁の新聞を製作するのが限界である。そのため、２４頁の新聞を製作する場合には、３つの印刷ユニットが必要であり、４８頁の新聞を製作する場合には、６つの印刷ユニットが必要となってしまう。
【００５９】
そこで、実施例１では、ブロード形式の新聞を製作する場合、図６−２に示すように、従来と同様に、幅Ｗが１６２６ｍｍのウェブＷを使用し、新聞の長手方向（幅方向）がウェブＷの搬送方向となるように、このウェブＷに対して印刷を行うようにしている。即ち、版胴に周面に対して、３種類の刷版を、その天地方向が版胴の軸方向となるように、版胴の軸方向に並んで取付ける。そして、この版胴を２つ用いて印刷を行うと、ウェブＷは、その表面及び裏面に新聞の天地方向がウェブＷの幅方向となるように印刷が施される。そして、この印刷済のウェブＷを幅方向の中央部で縦裁断した後に重ね合わせると共に、更に別の印刷ユニットで印刷された複数のウェブＷと重ね合わせた後、所定の位置で横裁断し、縦折されてから横折されることで新聞が製作される。この場合、新聞は、天地方向の長さＨ１が５４２ｍｍであり、左右方向（幅方向）の長さＷ１が８１３ｍｍとなる。
【００６０】
即ち、実施例１の新聞用オフセット輪転印刷機１０にて、印刷胴としての版胴１２の周長は、ブロード形式の新聞（印刷物）の長手方向の大きさの略整数倍に設定されていると共に、版胴１２の幅は、ブロード形式の新聞（印刷物）の縦方向の大きさの略整数倍に設定されている。この場合、略整数倍の倍数ｍは、自然数であって、好ましくは、ｍ＝１〜４、実際には、ｍ＝１〜２が最適である。
【００６１】
具体的に、前述したように、ウェブＷの幅Ｗは１６２６ｍｍであり、ブロード形式の新聞は、縦約５４６ｍｍ、横約８１３ｍｍの大きさを有している。そのため、ｍ＝１とした場合、版胴１２の周長は、ブロード形式の新聞の長手方向の大きさ、つまり、幅（横長さ）８１３ｍｍの１倍である約８１３ｍｍとなる。また、ｍ＝２とした場合、版胴１２の周長は、ブロード形式の新聞の長手方向の大きさ、つまり、幅（横長さ）８１３ｍｍの２倍である約１６２６ｍｍとなる。
【００６２】
なお、従来の版胴は、前述したように、新聞の長手方向（幅方向）がウェブＷの幅方向となるように印刷を行うことから、その周長が縦約５４６ｍｍ、または、その２倍の約１０９２ｍｍである。そのため、周長が約５４６ｍｍの版胴は、周長がブロード形式の新聞の長手方向の大きさの略０．６７（５４６／（１６２６／２））倍であり、周長が約１０９２ｍｍの版胴は、周長がブロード形式の新聞の長手方向の大きさの略１．３４（１０９２／（１６２６／２））倍である。
【００６３】
また、版胴１２の周長は、使用可能なウェブＷの最大紙幅の略ｎ／２倍の大きさに設定されている。この場合、ｎは、１または２であることが好ましい。従来の版胴は、その周長が縦約５４６ｍｍのとき、ｎは約０．３３（５４６／１６２６）であり、周長が約１０９２ｍｍのとき、ｎは約０．６７（１０９２／１６２６）である。この場合、ウェブＷを所定長さだけ巻き取った巻取紙は、トラック等に搭載して搬送するものであり、この巻取紙は、幅方向（軸方向）がトラックの車幅方向となるように搭載する。そのため、巻取紙の最大幅は、トラックが走行する道路幅に応じて規定されることとなり、使用可能なウェブＷが規定される。
【００６４】
なお、印刷胴としての版胴１２の周長がブロード形式の新聞の長手方向の大きさの略整数倍、また、版胴１２の周長が使用可能なウェブＷの最大紙幅の略ｎ／２倍と、「略」をつけて説明している。一般に、使用可能なウェブＷの最大紙幅は、１６２６ｍｍであるが、ウェブＷの幅は、メーカにより若干相違することがあり、新聞もその幅（長手方向の大きさ）が相違することがあり、また、ウェブＷに印刷を行う版胴１２やブランケット胴は、その幅（軸方向の長さ）が若干大きく設計されるものであることから、ここで「略」を付けて説明している。
【００６５】
ここで、ブロード形式の新聞とは、新聞の見開きの状態のものをいう（ブロード判、ブランケット判ともいう）。日本でのブロード形式の新聞は一般的に、５４６×８１３ｍｍであるが、本実施例でのブロード形式の場合は、縦約５４２ｍｍ、横約８１３ｍｍの大きさを有する形式の新聞である。また、タブロイド形式（タブロイド判ともいう）の新聞とは、ブロード形式の新聞の半分の大きさ、つまり、本実施例では縦約４０６ｍｍ、横約５４２ｍｍの大きさを有する形式の新聞である。なお、タブロイド判は、ブロード形式の判の縦折位置に切れ目を入れ、横折位置が背になるよう９０度回転した判型をいう。つまり、ほぼ従来のフォーマットと同サイズである。本実施例の場合は、幅（横）寸法を変えずにややコンパクトになっており、紙資源の削減が可能である。
【００６６】
以下、上述した実施例１の新聞用オフセット輪転印刷機による新聞の印刷方法について説明する。ここでは、新聞用オフセット輪転印刷機により２つの印刷ユニットＵ１，Ｕ２を用いて４８ページの新聞を印刷する場合について説明する。
【００６７】
実施例１にて、図３に示すように、版胴１２及びブランケット胴１３を有する印刷ユニットにて、版胴１２に周面に対して、６種類の刷版１４ａ，１４ｂ，１５ａ，１５ｂ，１６ａ，１６ｂ（または、刷版１４ａ，１４ｂ、刷版１５ａ，１５ｂ、刷版１６ａ，１６ｂがそれぞれ一体の刷版１４，１５，１６）を、その天地方向が版胴１２の軸方向となるように、版胴１２の軸方向に並んで３つの刷版１４ａ，１５ａ，１６ａを取付けると共に、版胴１２の周方向に１８０度ずれた位置に軸方向に並んで３つの刷版１４ｂ，１５ｂ，１６ｂを取付ける。なお、刷版１４ａ，１４ｂ、刷版１５ａ，１５ｂ、刷版１６ａ，１６ｂをそれぞれ一体に形成し、３種類として構成してもよい。
【００６８】
そして、この６種類の刷版１４ａ，１４ｂ，１５ａ，１５ｂ，１６ａ，１６ｂが取付けられた版胴１２を用いて印刷を行うことで、図４に示すように、ウェブＷに対して印刷が行われる。なお、実際の印刷ユニットでは、版胴１２（刷版１４ａ，１４ｂ，１５ａ，１５ｂ，１６ａ，１６ｂ）に供給されたインキがブランケット胴１３を介してウェブＷに転写されるものであるが、図４では、版胴１２に装着された各刷版１４ａ，１４ｂ，１５ａ，１５ｂ，１６ａ，１６ｂとウェブＷに印刷された画像との関係が明確となるように、ブランケット胴１３を省略している。
【００６９】
また、刷版１４ａ，１４ｂ，１５ａ，１５ｂ，１６ａ，１６ｂの大きさは、ブロード形式の新聞の見開きの大きさに対応して設定されている。そして、刷版１４ａは、２頁分の画像（インキ）Ａ１，Ａ２をウェブＷに転写可能であり、同様に、刷版１４ｂは、２頁分の画像Ａ３，Ａ４を、刷版１５ａは、２頁分の画像Ｂ１，Ｂ２を、刷版１５ｂは、２頁分の画像Ｂ３，Ｂ４を、刷版１６ａは、２頁分の画像Ｃ１，Ｃ２を、刷版１６ｂは、２頁分の画像Ｃ３，Ｃ４をそれぞれウェブＷに転写可能である。
【００７０】
即ち、版胴１２が回転すると、ウェブＷに対して、刷版１４ａ，１５ａ，１６ａが画像Ａ１，Ｂ１，Ｃ１、画像Ａ２，Ｂ２，Ｃ２を順に転写し、続いて、刷版１４ｂ，１５ｂ，１６ｂが画像Ａ３，Ｂ３，Ｃ３、画像Ａ４，Ｂ４，Ｃ４を順に転写する。更に、版胴１２が回転すると、この繰り返しにより連続した画像を転写していく。
【００７１】
その後、ウェブＷは、Ａ列、Ｂ列、Ｃ列で縦方向に沿って裁断されることで、３つのウェブＷに分離される。そして、この３つのウェブＷが重ねられ、また、別の印刷ユニットで印刷・縦裁断された３つのウェブＷが重ねられ、搬送方向における位置調整が行われる。この状態で、横裁断され、画像Ａ１，Ａ２、画像Ａ３，Ａ４、画像Ｂ１，Ｂ２、画像Ｂ３，Ｂ４、画像Ｃ１，Ｃ２，Ｃ３，Ｃ４が重ねられ、コレクトラン設定で折機内を通すことで、図５に示すように、１２枚のシートＳが重ねられた状態となり、このシートＳの束を横折してから縦折することで、４８頁の新聞Ｎを製作することができる。
【００７２】
以下、上述した実施例１の新聞用オフセット輪転印刷機１０を用いた新聞の制作方法（印刷方法）について具体的に説明する。
【００７３】
実施例１の新聞用オフセット輪転印刷機１０において、図１に示すように、給紙装置Ｒは、２つの給紙ユニットＲ１，Ｒ２を作動し、ウェブＷをそれぞれ印刷装置Ｕに供給する。すると、印刷装置Ｕにおける各印刷ユニットＵ１，Ｕ２では、供給された各ウェブＷの表裏に対して印刷を行う。このとき、印刷ユニットＵ１，Ｕ２は、前述したように、６種類の刷版１４ａ，１４ｂ，１５ａ，１５ｂ，１６ａ，１６ｂ（または、刷版１４，１５，１６）が、その天地方向が版胴１２の軸方向となるように、版胴１２の軸方向及び周方向に並んで取付けられていることから、ウェブＷには、新聞の長手方向がウェブＷの搬送方向となるように、印刷が行われる。
【００７４】
続いて、印刷済の各ウェブＷは、ウェブパス装置Ｄに搬送され、各ウェブパスユニットＤ１，Ｄ２では、それぞれ各スリッタ２２によりウェブＷが３つに縦裁断され、ターンバー２３により搬送経路が変更され、コンペンセータ２４により各ウェブＷにおける搬送方向の位置が調整されてから所定の順番に重ね合わされる。このウェブパス装置Ｄで、６つのウェブＷが重ねられると、この状態で、折機Ｆに搬送される。
【００７５】
この折機Ｆでは、図２に示すように、まず、折胴４４の針装置５３ａが作動して針を外方に突出させることで、ウェブＷの先端部を突き刺して保持する。この状態から、鋸胴４３及び折胴４４が回転し続けると、ウェブＷは折胴４４の周面に保持されたまま移動する。そして、所定の位置で、鋸胴４３の鋸刃５１ｂと鋸刃受５２ｂに対向して一致すると、この鋸刃５１ｂによりウェブＷが横裁断され、シート束Ｓ１が形成される。この鋸刃５１ｂによる横裁断と同時に、針装置５３ｂが作動して針を外方に突出させることで、ウェブＷの先端部を突き刺して保持する。
【００７６】
続いて、針装置５３ａがシート束Ｓ１の先端部を突き刺して保持すると共に、針装置５３ｂがウェブＷの先端部を突き刺して保持した状態から、鋸胴４３及び折胴４４が回転し続けると、シート束Ｓ１及びウェブＷは折胴４４の周面に保持されたまま移動する。そして、所定の位置で、鋸胴４３の鋸刃５１ａと鋸刃受５２ｃが対向して一致すると、この鋸刃５１ａによりウェブＷが横裁断され、シート束Ｓ２が形成される。この鋸刃５１ａによる横裁断と同時に、針装置５３が作動して針を外方に突出させることで、ウェブＷの先端部を突き刺して保持する。
【００７７】
更に、針装置５３ａ，５３ｂがシート束Ｓ１，Ｓ２の先端部をそれぞれ突き刺して保持すると共に、針装置５３ｃがウェブＷの先端部を突き刺して保持した状態から、鋸胴４３及び折胴４４が回転し続けると、シート束Ｓ１，Ｓ２及びウェブＷは折胴４４の周面に保持されたまま移動する。そして、所定の位置で、鋸胴４３の鋸刃５１ｂと鋸刃受５２ａが対向して一致すると、この鋸刃５１ｂによりウェブＷが横裁断され、シート束Ｓ１が形成される。この鋸刃５１ｂによる横裁断と同時に、外方に突出している針装置５３ａがシートＳ１の先端部を突き刺したままで、ウェブＷの先端部を突き刺して保持する。
【００７８】
この作動を鋸胴４３が３回転、折胴４４が２回転する間だけ継続することで、この折胴４４上に２種類のシート束Ｓ１，Ｓ２が重ねられることとなる（コレクトラン折り）。即ち、版胴１２は、その周方向に沿って２種類の刷版が並んで装着されていることから、３つの縦裁断されたウェブＷは、異なる画像が交互に印刷されたものとなっている。一方、折胴４４が３倍胴であることから、この折胴４４が２回転することで、この折胴４４上に２種類のシート束Ｓ１，Ｓ２が重ねられたものが３組形成されることとなる。
【００７９】
そして、折胴４４上に２種類のシート束Ｓ１，Ｓ２が重ねられたものが３組形成されると同時に、針装置５３ａの針を戻すことで、２種類のシート束Ｓ１，Ｓ２の先端部の保持を解除すると共に、折ブレード５５ａを前進して先端部が折胴４４の周面から外方に突出することで、重ねられているシート束Ｓ１，Ｓ２を折胴４４の周面から下方へ引き剥がす。すると、折胴４４に同期して回転する咥胴４５は、折ブレード５５ａと咥え装置５７ａが一致したときに、咥え装置５７ａが折胴４４の周面から突出したシート束Ｓ１，Ｓ２を咥えて挟持することで折帖Ｎが形成される。
【００８０】
そして、折胴４４及び咥胴４５により２つ折りになった折帖Ｎは、上下の搬送コンベア６２，６３によりチョッパテーブル６１上を搬送され、先端部がストッパ６５に当接した位置で停止する。すると、駆動装置により、チョッパテーブル６１上の基準位置で停止する折帖Ｎに対してチョッパブレード６６が下降し、折帖Ｎの中央部分がチョッパテーブル６１のスリット６４に押し込まれる。一対の折込ローラ６７は、この折帖Ｎを挟持して折り曲げながら通過させることで、折り畳まれた折帖Ｎとしての新聞が製作される。
【００８１】
このように実施例１の新聞用オフセット輪転印刷機にあっては、ウェブＷを供給する給紙装置Ｒと、給紙装置Ｒから繰り出されたウェブＷに対して版胴１２及びブランケット胴１３を用いて印刷を行う印刷装置Ｕと、印刷装置Ｕにより印刷が施されたウェブＷを裁断すると共に重ねて折り畳むことで新聞を形成する折機Ｆとを設け、版胴１２の周長を、ブロード形式の新聞の長手方向の大きさの略整数倍に設定していると共に、版胴１２の幅をブロード形式の新聞の縦方向の大きさの略整数倍に設定している。
【００８２】
従って、版胴１２の周長がブロード形式の新聞の長手方向の大きさと、版胴１２の幅がブロード形式の新聞の縦方向の大きさについて、適切な略整数倍の数に設定すると、ブロード形式の新聞が、従来とほぼ同じサイズで、且つ、従来よりも多くの印刷頁を得ることができる。即ち、１つのウェブＷに対して、従来よりも多頁の印刷をすることも可能となる。言い換えると、従来と比較して１つの印刷ユニットＵ１，Ｕ２で印刷できる頁数を多くすることも可能となる。その結果、従来よりも少ない印刷ユニットＵ１，Ｕ２で、従来と同等の多頁印刷を実現することもできるので、印刷装置または印刷機全体のコンパクト化を可能とすることができる。この場合、従来と同等の最大紙幅は、ブロード形式の新聞の縦寸法の略整数倍との関係にあるため、適切な倍数を選択（例えば、ブロード形式の新聞の縦寸法の３倍）すれば、従来と同様の最大紙幅のウェブＷを使うことも可能となる。
【００８３】
また、実施例１の新聞用オフセット輪転印刷機では、印刷ユニットＵ１１，Ｕ１２として、刷版が装着される版胴１２と、版胴１２のインキをウェブＷに転写するブランケット胴１３を設け、版胴１２の周長を、使用可能なウェブＷの最大紙幅の略ｎ／２倍（ｎは自然数）の大きさに設定している。従って、版胴１２の周長がウェブＷの最大紙幅の略ｎ／２倍の大きさとなるように設定することで、版胴１２の周長と最大紙幅との比率を規定することとなり、適切な版胴１２の直径と幅の組合せとすることができる。その結果、多頁対応にも拘わらず印刷装置の大型化、または、印刷装置または印刷機全体の大型化を防ぐことができる。即ち、１つのウェブＷに対して、従来よりも１．５倍多くの頁を印刷することができる。これは、巻取紙のリールに換算すると、例えば、４リールで６リール相当の印刷を行うことができるので、印刷装置または印刷機全体の大型を防ぐことができる。
【００８４】
この場合、ｎは、１または２であることが好ましく、印刷ユニットＵ１１，Ｕ１２に対して、版胴１２の大きさの最適化を可能とすることができる。即ち、従来から一般的に汎用機として使用されている印刷ユニットＵ１，Ｕ２は、版胴１２の周方向に１頁で長手方向に４頁を印刷可能な刷版が装着された、所謂、４×１機（１頁周長の版胴単胴機）、版胴１２の周方向に２頁で長手方向に４頁を印刷可能な刷版が装着された、所謂、４×２機（２頁周長の版胴倍胴機）であり、この印刷ユニットＵ１，Ｕ２に対応して版胴１２の大きさを最適化しつつ、１つのウェブＷに対して、従来よりも多頁の印刷をすることができる。
【００８５】
ｎ＝１の場合、汎用機である４×１機に対応するものとして、版胴１２の大きさを最適化しつつ、１つのウェブＷに対して、従来よりも多頁の印刷をすることができる。従来は、表裏８頁の印刷しかできなかったものが、表裏１２頁印刷することができる。また、ｎ＝２の場合、汎用機である４×２機に対応して、従来は１つの印刷ユニットＵ１，Ｕ２では表裏１６頁の印刷しかできなったが、１つの印刷ユニットＵ１，Ｕ２で最大２４頁の印刷をすることができる。つまり、１つのウェブＷに対して、従来よりも多頁の印刷をすることができる。
【００８６】
また、実施例１の新聞用オフセット輪転印刷機では、印刷済のウェブＷを縦裁断してから重ねるウェブパス装置Ｄを設け、折機Ｆは、縦裁断されて重ねられた縦折をしていない複数のウェブＷを横裁断し、横折りしてから縦折して新聞Ｎを形成するようにしている。従って、従来の印刷機と同様に、ウェブパス装置を用いて印刷済のウェブを縦裁断して重ねることができ、印刷装置または印刷機全体の簡素化、低コスト化を可能とすることができる。即ち、従来の印刷機と比べて、同頁の印刷をする構成とする場合、印刷ユニットを削減することができ、印刷装置または印刷機全体のコンパクト化、低コスト化が可能となる。また、通常、新聞輪転機は、単色の印刷ユニットＵ１，Ｕ２とカラーの印刷ユニットとの組合せから構成されることが多く、この場合、新聞を作成する際にカラー頁を所望の位置に入れるためにベイウィンドー装置が必要となってしまう。それに対して、カラーの印刷ユニットに本発明を適応した場合、カラー頁数を増やすことが可能であるため、単色の印刷ユニットを全て削減して、カラーの印刷ユニットだけで構成することも可能となる。その場合、ベイウィンドー装置を必ずしも設ける必要がなくなり、ウェブパス装置を簡素化も図ることができる。
【００８７】
また、実施例１の印刷方法は、ブロード形式の新聞の長手方向がウェブＷの搬送方向となるようにウェブＷに対して印刷を行っている。従って、前述と同様に、１つの印刷ユニットＵ１１，Ｕ１２において、従来と同じ最大紙幅のウェブＷを用いることができると共に、従来と同じ紙幅のウェブＷから従来とほぼ同じサイズで、且つ、従来よりも多くの異なる画像の異なる多種類の印刷頁を得ることができる。その結果、従来よりも少ない印刷ユニットＵ１１，Ｕ１２で従来と同等の多頁印刷を実現することができ、印刷装置または印刷機全体のコンパクト化を可能とすることができる。
【００８８】
また、実施例１の印刷方法では、印刷済のウェブＷを縦裁断してから重ね、重ねられた縦折をしていない複数のウェブＷを横裁断し、横折りしてから縦折してブロード形式の新聞を製作している。従って、容易にブロード形式の新聞を印刷することができる。
【実施例２】
【００８９】
図７は、本発明の実施例２に係る新聞用オフセット輪転印刷機を表す概略構成図、図８は、実施例２の印刷機に適用される折機を表す概略構成図である。なお、上述した実施例と同様の機能を有する部材には、同一の符号を付して詳細な説明は省略する。
【００９０】
実施例２において、図７及び図８に示すように、新聞用オフセット輪転印刷機１０Ａは、実施例１に対して折機の構成が相違しており、その他の構成はほぼ同様となっている。即ち、新聞用オフセット輪転印刷機１０Ａは、給紙装置Ｒ、印刷装置Ｕ、ウェブパス装置Ｄ、折機Ｆ１とから構成されている。そして、この新聞用オフセット輪転印刷機１０Ａによりブロード形式の新聞を製作する場合、幅Ｗが１６２６ｍｍのウェブＷを使用し、新聞の長手方向（幅方向）がウェブＷの搬送方向となるように、このウェブＷに対して印刷を行うようにしている。そして、版胴１２の周長は、ブロード形式の新聞（印刷物）の長手方向の大きさの略整数倍（ｍ＝１〜４）に設定されている。また、版胴１２の周長は、使用可能なウェブＷの最大紙幅の略ｎ／２倍（ｎ＝１〜２）の大きさに設定されている。
【００９１】
折機Ｆ１は、ドラグローラ３１と、ロータリフォルダ式の折ユニット７１と、チョッパ折装置３３を有している。この折ユニット７１において、図７及び図８に示すように、最上部に、一対のニッピングローラ７２が設けられ、このニッピングローラ７２の下方に、鋸胴７３と折胴７４がウェブＷを挟んで左右に対向して配設されており、折胴７４の下方に、一対の折込ローラ７５及び一対の紙ガイド７６が設けられている。更に、折込ローラ７５の下方に、羽根車７７が設けられると共に、この羽根車７７より下流側にチョッパ折装置３３が設けられている。本実施例にて、鋸胴７３は２倍胴、折胴７４は３倍胴に設定されており、鋸胴７３と折胴７４は、同じ周速で同期回転している。
【００９２】
鋸胴７３は、その周面に周方向に均等間隔で、つまり、１８０度対向して鋸刃８１ａ，８１ｂが設けられている。一方、折胴７４は、その周面に周方向に均等間隔で、つまり、１２０度対向して鋸刃受８２ａ，８２ｂ，８２ｃが設けられている。そして、鋸刃８１ａ，８１ｂと鋸刃受８２ａ，８２ｂ，８２ｃが互いに対向するように、その回転位相が設定されている。そのため、鋸胴７３と折胴７４が同期回転し、鋸刃８１ａ，８１ｂと鋸刃受８２ａ，８２ｂ，８２ｃが対向して一致するときに、この鋸刃８１ａ，８１ｂによりウェブＷを横裁断し、所定長さのシートＳを形成することができる。
【００９３】
また、折胴７４は、その周面に周方向に均等間隔で、つまり、１２０度対向して針装置８３ａ，８３ｂ，８３ｃが、鋸刃受８２ａ，８２ｂ，８２ｃより折胴７４の回転方向における上流側に設けられている。この針装置８３ａ，８３ｂ，８３ｃは、作動装置（例えば、カム機構）８４ａ，８４ｂ，８４ｃにより折胴７４の回転に応じて作動するものであり、所定の位置で、針を外方に突出することで、ウェブＷの走行方向における先端部を保持することができ、所定の位置で、針を戻すことで、ウェブＷ（シートＳ）の先端部の保持を解除することができる。
【００９４】
更に、折胴７４は、その周面に周方向に均等間隔で、つまり、１２０度対向して折ブレード８５ａ，８５ｂ，８５ｃが設けられており、この折ブレード８５ａ，８５ｂ，８５ｃは、針装置８３ａ，８３ｂ，８３ｃとほぼ６０度位相がずれて位置している。この折ブレード８５ａ，８５ｂ，８５ｃは、櫛状をなすように、幅方向に多数のブレード本体が一体に形成されて構成され、先端部が折胴７４の周面から外方に突出可能となっている。そして、この折ブレード８５ａ，８５ｂ，８５ｃは、作動装置（例えば、カム機構）８６ａ，８６ｂ，８６ｃにより折胴７４の回転に応じて作動するものであり、所定の位置で、折ブレード８５ａ，８５ｂ，８５ｃの先端部が外方に突出することで、鋸刃８１ａ，８１ｂにより裁断されたシートＳを折胴７４の周面から引き剥がすことができる。
【００９５】
なお、本実施例では、鋸刃８１ａ，８１ｂ、鋸刃受８２ａ，８２ｂ，８２ｃ、針装置８３ａ，８３ｂ，８３ｃ、折ブレード８５ａ，８５ｂ，８５ｃを鋸胴７３、折胴７４の外周部に２組または３組設けたが、この数に限定されるものではなく、鋸胴７３、折胴７４の径により、１組または３組以上設けてもよい。
【００９６】
折胴７４の下方に設けられた一対の折込ローラ７５は、折胴７４と同期回転可能に設けられており、折胴７４の下方で各折込ローラ７５の両側に、一対の紙ガイド７６が設けられている。この一対の折込ローラ７５は、折ブレード８５ａ，８５ｂ，８５ｃにより折胴７４の周面から突出したシートＳを挟持することで、折帖としての新聞Ｎを形成することができる。このとき、一対の紙ガイド７６は、新聞Ｎをガイドする。
【００９７】
以下、上述した実施例２の新聞用オフセット輪転印刷機１０Ａを用いた新聞の制作方法（印刷方法）について具体的に説明する。
【００９８】
実施例２の新聞用オフセット輪転印刷機１０Ａにおいて、図７に示すように、給紙装置Ｒは、２つの給紙ユニットＲ１，Ｒ２を作動し、ウェブＷをそれぞれ印刷装置Ｕに供給する。すると、印刷装置Ｕにおける各印刷ユニットＵ１，Ｕ２では、供給された各ウェブＷの表裏に対して印刷を行う。このとき、印刷ユニットＵ１，Ｕ２は、前述したように、６種類の刷版１４ａ，１４ｂ，１５ａ，１５ｂ，１６ａ，１６ｂ（または、刷版１４，１５，１６）が、その天地方向が版胴１２の軸方向となるように、版胴１２の軸方向及び周方向に並んで取付けられていることから、ウェブＷには、新聞の長手方向がウェブＷの搬送方向となるように、印刷が行われる。
【００９９】
続いて、印刷済の各ウェブＷは、ウェブパス装置Ｄに搬送され、各ウェブパスユニットＤ１，Ｄ２では、それぞれ各スリッタ２２によりウェブＷが３つに縦裁断され、ターンバー２３により搬送経路が変更され、コンペンセータ２４により各ウェブＷにおける搬送方向の位置が調整されてから所定の順番に重ね合わされる。このウェブパス装置Ｄで、６つのウェブＷが重ねられると、この状態で、折機Ｆ１に搬送される。
【０１００】
この折機Ｆ１では、図８に示すように、まず、針装置８３ａが作動してウェブＷの先端部を突き刺して保持する。この状態から、鋸胴７３及び折胴７４が回転し続けると、ウェブＷは折胴７４の周面に保持されたまま移動する。そして、所定の位置で、鋸胴７３の鋸刃８１ｂと鋸刃受８２ｂが対向して一致すると、この鋸刃８１ｂによりウェブＷが横裁断され、シートＳが形成される。この鋸刃８１ｂによる横裁断と同時に、針装置８３ｂが作動することで、ウェブＷの先端部を突き刺して保持する。
【０１０１】
このような作動を鋸胴７３が３回転、折胴７４が２回転する間だけ継続することで、この折胴７４上に２種類のシートＳの束が重ねられることとなる（コレクトラン折り）。即ち、版胴１２は、その周方向に沿って２種類の刷版が並んで装着されていることから、３つの縦裁断されたウェブＷは、異なる画像が交互に印刷されたものとなっている。一方、折胴７４が３倍胴であることから、この折胴７４が２回転することで、この折胴７４上に２種類のシートＳの束が重ねられたものが３組形成されることとなる。
【０１０２】
そして、折胴７４上に２種類のシートＳの束が重ねられたものが３組形成されると同時に、針装置８３ａを戻すことで、２種類のシートＳの束の先端部の保持を解除すると共に、折ブレード８５ａを回動して先端部を折胴７４の周面から外方に突出することで、重ねられているシートＳの束を折胴７４の周面から下方へ引き剥がす。すると、折胴７４の周面から突出したシートＳの束は、一対の折込ローラ７５により挟持されることで折帖Ｎが形成される。
【０１０３】
そして、折胴７４及び折込ローラ７５により２つ折りになった折帖Ｎは、チョッパ折装置３３により縦に折り曲げられることで、折り畳まれた折帖Ｎとしての新聞が製作される。
【０１０４】
このように実施例２の新聞用オフセット輪転印刷機にあっては、ウェブＷを供給する給紙装置Ｒと、給紙装置Ｒから繰り出されたウェブＷに対して版胴１２及びブランケット胴１３を用いて印刷を行う印刷装置Ｕと、印刷装置Ｕにより印刷が施されたウェブＷを裁断すると共に重ねて折り畳むことで新聞を形成する折機Ｆ１とを設け、版胴１２の周長を、ブロード形式の新聞の長手方向の大きさの略整数倍に設定している。
【０１０５】
従って、版胴１２の周長がブロード形式の新聞の長手方向の大きさの略整数倍となるように設定することで、１つの印刷ユニットＵ１１，Ｕ１２において、従来と同じ最大紙幅のウェブＷを用いることができると共に、従来と同じ紙幅のウェブＷから従来とほぼ同じサイズで、且つ、従来よりも多くの異なる画像の異なる多種類の印刷頁を得ることができる。その結果、従来よりも少ない印刷ユニットＵ１１，Ｕ１２で従来と同等の多頁印刷を実現することができ、印刷装置または印刷機全体のコンパクト化を可能とすることができる。
【実施例３】
【０１０６】
図９は、本発明の実施例３に係る新聞用オフセット輪転印刷機を表す概略構成図、図１０は、実施例３の印刷機に適用される折機を表す概略構成図である。なお、上述した実施例と同様の機能を有する部材には、同一の符号を付して詳細な説明は省略する。
【０１０７】
実施例３において、図９及び図１０に示すように、新聞用オフセット輪転印刷機１０Ｂは、実施例１、２に対して印刷装置より下流側の構成が相違しており、その他の構成はほぼ同様となっている。即ち、新聞用オフセット輪転印刷機１０Ｂは、給紙装置Ｒ、印刷装置Ｕ、カッタ装置９１を有する折機Ｆ２とから構成されている。そして、この新聞用オフセット輪転印刷機１０Ｂによりブロード形式の新聞を製作する場合、幅Ｗが１６２６ｍｍのウェブＷを使用し、新聞の長手方向（幅方向）がウェブＷの搬送方向となるように、このウェブＷに対して印刷を行うようにしている。そして、版胴１２の周長は、ブロード形式の新聞（印刷物）の長手方向の大きさの略整数倍（ｍ＝１〜４）に設定されている。また、版胴１２の周長は、使用可能なウェブＷの最大紙幅の略ｎ／２倍（ｎ＝１〜２）の大きさに設定されている。
【０１０８】
折機Ｆ２は、カッタ装置９１と折ユニット３２と、チョッパ折装置３３を有している。このカッタ装置９１は、重ねられた２枚のウェブＷを縦方向（ウェブＷの搬送方向）に沿ってその幅方向で均等に３つに裁断する２つのカッタ９２と、このカッタ９２により裁断された３つのウェブＷをガイドする三角板（フォーマ）からなる３つの案内板９３ａ，９３ｂ，９４ａと、この案内板９３ａ，９３ｂによりガイドされた２つのウェブＷを重ねて搬送するガイドローラ９５と、案内板９４ａによりガイドされた１つのウェブＷを搬送するガイドローラ９６とを有している。そして、ガイドローラ９５，９６の下方に、３つのウェブＷを重ねて搬送するニッピングローラ４１，４２が設けられている。
【０１０９】
なお、折ユニット３２とチョッパ折装置３３は、前述した実施例１と同様であり、折ユニット３２に代えて、実施例２の折ユニット７１を用いてもよい。
【０１１０】
また、案内板９３ａ，９３ｂ，９４ａは、ウェブＷをガイドするものであって、縦折りを行うものではない。この場合、案内板９３ａ，９３ｂにより第１の三角板を構成し、案内板９４ａにより第２の三角板を構成しており、第１の三角板（案内板９３ａ，９３ｂ）と、この第１の三角板（案内板９３ａ，９３ｂ）における底辺の半分の位置で２等分された大きさの第２の三角板（案内板９３ｃ）とを隣接して水平に並べることで案内板として配置し、上部に少なくともカッタ９２を均等間隔で配置して構成している。なお、上述した説明では、この三角板（フォーマ）を１．５個並べて３つの案内板９３ａ，９３ｂ，９４ａを構成したが、三角板（フォーマ）を２個並べて４つの案内板９３ａ，９３ｂ，９４ａ，９４ｂを構成し、３つのカッタ９２を設けてもよい。この場合、必要に応じて３つの案内板と２つのカッタを選択して使用すればよい。
【０１１１】
以下、上述した実施例３の新聞用オフセット輪転印刷機１０Ｂを用いた新聞の制作方法（印刷方法）について具体的に説明する。
【０１１２】
実施例３の新聞用オフセット輪転印刷機１０Ｂにおいて、図９及び図１０に示すように、給紙装置Ｒは、２つの給紙ユニットＲ１，Ｒ２を作動し、ウェブＷをそれぞれ印刷装置Ｕに供給する。すると、印刷装置Ｕにおける各印刷ユニットＵ１，Ｕ２では、供給された各ウェブＷの表裏に対して印刷を行う。このとき、印刷ユニットＵ１，Ｕ２は、前述したように、６種類の刷版１４ａ，１４ｂ，１５ａ，１５ｂ，１６ａ，１６ｂ（または、刷版１４，１５，１６）が、その天地方向が版胴１２の軸方向となるように、版胴１２の軸方向及び周方向に並んで取付けられていることから、ウェブＷには、新聞の長手方向がウェブＷの搬送方向となるように、印刷が行われる。
【０１１３】
続いて、印刷済の各ウェブＷは、搬送中に重ねられて折機Ｆ２に搬送される。このウェブ折機Ｆ２にて、まず、カッタ装置９１における２つのカッタ９２が重ねられた２枚のウェブＷを縦方向に沿って３つに裁断する。そして、裁断された３つのウェブＷは、各案内板９３ａ，９３ｂ，９４ａにガイドされ、ガイドローラ９５，９６により搬送されることで重ねられ、ニッピングローラ４１，４２を介して折ユニット３２に送られる。この場合、上段のガイドローラ９５，９６はリードインローラであり、下段のガイドローラ９５，９６はニッピングローラである。
【０１１４】
この折ユニット３２では、前述したように、鋸胴４３、折胴４４、咥胴４５が作動することで、ウェブＷが横裁断されると共に横折されて折帖Ｎが形成され、その後、チョッパ折装置３３により縦折りされることで、折り畳まれた折帖Ｎとしての新聞が製作される。
【０１１５】
このように実施例３の新聞用オフセット輪転印刷機にあっては、ウェブＷを供給する給紙装置Ｒと、給紙装置Ｒから繰り出されたウェブＷに対して版胴１２及びブランケット胴１３を用いて印刷を行う印刷装置Ｕと、印刷装置Ｕにより印刷が施されたウェブＷを裁断すると共に重ねて折り畳むことで新聞を形成する折機Ｆ２とを設け、版胴１２の周長を、ブロード形式の新聞の長手方向の大きさの略整数倍に設定している。この場合、折機Ｆ２として、印刷済のウェブＷを縦裁断するカッタ装置９１を設け、縦裁断されて重ねられた複数のウェブＷを横裁断し、横折りしてから縦折して新聞を形成している。
【０１１６】
従って、折機Ｆ２にカッタ装置９１を設けるだけで、印刷済のウェブＷを縦裁断して重ねることができ、印刷装置または印刷機全体の簡素化、低コスト化を可能とすることができる。即ち、従来の印刷機と比べて、同頁の印刷をする構成とする場合、印刷ユニットを削減することができ、印刷装置または印刷機全体のコンパクト化、低コスト化が可能となる。
【０１１７】
なお、この実施例３では、ウェブパス装置をなくしたが、各印刷ユニットＵ１，Ｕ２から送り出された２枚のウェブＷを幅方向に対して適正に重ねると共に、搬送方向に対する位置調整を行うために印刷装置Ｕと折機Ｆ２との間にウェブパス装置を設けてもよい。
【実施例４】
【０１１８】
図１１は、本発明の実施例４に係る新聞用オフセット輪転印刷機を表す概略構成図、図１２は、ウェブに対する印刷形態及び裁断・折り形態を表す概略図である。なお、本実施例の印刷機の基本的な構成は、上述した実施例３とほぼ同様の構成であり、図９を用いて説明すると共に、上述した実施例と同様の機能を有する部材には、同一の符号を付して詳細な説明は省略する。
【０１１９】
実施例４において、図９及び図１１に示すように、新聞用オフセット輪転印刷機１０Ｃは、実施例３に対して折機の構成が相違しており、その他の構成はほぼ同様となっている。即ち、新聞用オフセット輪転印刷機１０Ｃは、給紙装置Ｒ、印刷装置Ｕ、カッタ装置９１を有する折機Ｆ３とから構成されている。そして、この新聞用オフセット輪転印刷機１０Ｃによりブロード形式の新聞を製作する場合、幅Ｗが１６２６ｍｍのウェブＷを使用し、新聞の長手方向（幅方向）がウェブＷの搬送方向となるように、このウェブＷに対して印刷を行うようにしている。そして、版胴１２の周長は、ブロード形式の新聞（印刷物）の長手方向の大きさの略整数倍（ｍ＝１〜４）に設定されている。また、版胴１２の周長は、使用可能なウェブＷの最大紙幅の略ｎ／２倍（ｎ＝１〜２）の大きさに設定されている。
【０１２０】
また、新聞用オフセット輪転印刷機１０Ｃは、所定のウェブＷに対してブロード形式の新聞だけでなく、タブロイド形式の新聞を製作（印刷）可能となっており、折機Ｆ３として、カッタ装置９１、第１折ユニット３２、第２折ユニット１０１、チョッパ折装置３３が設けられており、カッタ装置９１と各折ユニット３２，１０１との間に切替装置としてのニッピングローラ１０２が設けられている。なお、第１折ユニット３２とチョッパ折装置３３は、前述した実施例３と同様の構成である。
【０１２１】
第２折ユニット１０１において、最上部にニッピングローラ１０３が配置され、このニッピングローラ１０３の下方に、鋸胴１０４と針胴１０５とがウェブＷを挟んで対向して配置されている。この鋸胴１０４と針胴１０５は、２倍胴であり、同じ周速で同期して回転可能となっている。鋸胴１０４は、外周部に周方向で均等間隔、つまり、９０度ごとに４つの鋸刃１０６が装着され、針胴１０５は、外周部に周方向で均等間隔、つまり、９０度ごとに４つの針装置１０７が装着されている。また、針胴１０５は、周囲に上下一対の搬送ベルト１０８，１０９が配置されると共に、この搬送ベルト１０８，１０９に連続するように排紙ベルト１１０が配置されている。この排紙ベルト１１０は、下流端部がチョッパ折装置３３まで延設され、図示しない駆動装置により上下に移動可能となっている。この場合、排紙ベルト１１０は、第１折ユニット３２を使用するときには、上方の待機位置に移動し、第２折ユニット１０１を使用するときには、下方の作動位置に移動する。
【０１２２】
以下、上述した実施例４の新聞用オフセット輪転印刷機１０Ｃを用いた新聞の制作方法（印刷方法）について具体的に説明する。
【０１２３】
実施例４の新聞用オフセット輪転印刷機１０Ｃにおいて、給紙装置Ｒは、２つの給紙ユニットＲ１，Ｒ２を作動し、ウェブＷをそれぞれ印刷装置Ｕに供給する。すると、印刷装置Ｕにおける各印刷ユニットＵ１，Ｕ２では、供給された各ウェブＷの表裏に対して印刷を行う。このとき、印刷ユニットＵ１，Ｕ２は、前述したように、６種類の刷版１４ａ，１４ｂ，１５ａ，１５ｂ，１６ａ，１６ｂ（または、刷版１４，１５，１６）が、その天地方向が版胴１２の軸方向となるように、版胴１２の軸方向及び周方向に並んで取付けられていることから、ウェブＷには、新聞の長手方向がウェブＷの搬送方向となるように、印刷が行われる。
【０１２４】
続いて、印刷済の各ウェブＷは、搬送中に重ねられて折機Ｆ３に搬送される。このウェブ折機Ｆ３にて、まず、カッタ装置９１における２つのカッタ９２が重ねられた２枚のウェブＷを縦方向に沿って３つに裁断する。そして、裁断された３つのウェブＷは、各案内板９３ａ，９３ｂ，９４ａにガイドされ、ガイドローラ９５，９６により搬送されることで重ねられ、第１折ユニット３２または第２折ユニット１０１に送られる。
【０１２５】
ここで、ブロード形式の新聞を印刷する場合には、ウェブＷをニッピングローラ１０２からニッピングローラ４１，４２を介して第１折ユニット３２に送る。そして、この第１折ユニット３２にて、鋸胴４３、折胴４４、咥胴４５が作動することで、ウェブＷが横裁断されると共に横折されて折帖が形成され、その後、チョッパ折装置３３により縦折りされることで、折り畳まれた折帖として、ブロード形式の新聞が製作される。
【０１２６】
一方、タブロイド形式の新聞を印刷する場合には、ウェブＷをニッピングローラ１０２からニッピングローラ１０３を介して第２折ユニット１０１に送る。そして、この第２折ユニット１０１にて、鋸胴１０４、針胴１０５が作動することで、ウェブＷが横裁断されて折帖が形成され、この折帖は、針胴１０５から搬送ベルト１０８，１０９に挟持されて排紙ベルト１１０に送られ、この排紙ベルト１１０によりチョッパ折装置３３に送られる。そして、折帖は、このチョッパ折装置３３により縦折りされることで、折り畳まれた折帖として、タブロイド形式の新聞が製作される。
【０１２７】
即ち、図１１及び図１２に示すように、ウェブＷは、幅Ｗが１６２６ｍｍであり、ブロード形式の新聞の長手方向（幅方向）がウェブＷの搬送方向となるように印刷が行われるものであるが、タブロイド形式の新聞は、長手方向（幅方向）がウェブＷの幅方向となっている。そのため、ウェブＷは、カッタ装置９１により縦裁断されることで、幅がＨ１（Ｗ／２）である３つのウェブＷが形成され、全てのウェブＷが重ねられて各折ユニット３２，１０１に送られる。すると、第２折ユニット１０１では、鋸胴１０４によりブロード形式の新聞の幅Ｗ１の半分の長さＷ１／２の長さで横裁断される。すると、幅Ｈ１で高さＷ１／２のシートＳが６枚重ねられたシート束が形成され、このシート束を縦折することで、２４頁のタブロイド形式の新聞Ｎを製作することができる。
【０１２８】
このように実施例４の新聞用オフセット輪転印刷機にあっては、給紙装置Ｒと、版胴１２及びブランケット胴１３を有する印刷装置Ｕと、折機Ｆ３とを設け、版胴１２の周長を、ブロード形式の新聞の長手方向の大きさの略整数倍に設定している。そして、折機Ｆ３として、印刷済のウェブＷを縦裁断するカッタ装置９１と、縦裁断されて重ねられた複数のウェブＷを横裁断、横折り、縦折してブロード形式の新聞を印刷する第１搬送経路としての第１折ユニット３２と、縦裁断されて重ねられた複数のウェブＷを横裁断、縦折してタブロイド形式の新聞を印刷する第２搬送経路としての第２折ユニット１０１とを設けている。
【０１２９】
従って、第１折ユニット３２によりブロード形式の新聞を印刷することができると共に、第２折ユニット１０１によりタブロイド形式の新聞を印刷することができ、装置の汎用性を向上することができる。
【０１３０】
また、実施例４の印刷方法にあっては、印刷済のウェブＷを縦裁断してから重ね、重ねられた複数のウェブＷを横裁断し、縦折してタブロイド形式の新聞を形成しており、容易にタブロイド形式の新聞を印刷することができる。
【実施例５】
【０１３１】
図１３は、本発明の実施例５に係る新聞用オフセット輪転印刷機を表す概略構成図、図１４は、実施例５の印刷機に適用される折機を表す概略構成図である。なお、上述した実施例と同様の機能を有する部材には、同一の符号を付して詳細な説明は省略する。
【０１３２】
実施例５において、図１３及び図１４に示すように、新聞用オフセット輪転印刷機１０Ｄは、実施例４に対して折機の構成が相違しており、その他の構成はほぼ同様となっている。即ち、新聞用オフセット輪転印刷機１０Ｄは、給紙装置Ｒ、印刷装置Ｕ、カッタ装置９１を有する折機Ｆ４とから構成されている。そして、この新聞用オフセット輪転印刷機１０Ｄによりブロード形式の新聞を製作する場合、幅Ｗが１６２６ｍｍのウェブＷを使用し、新聞の長手方向（幅方向）がウェブＷの搬送方向となるように、このウェブＷに対して印刷を行うようにしている。そして、版胴１２の周長は、ブロード形式の新聞（印刷物）の長手方向の大きさの略整数倍（ｍ＝１〜４）に設定されている。また、版胴１２の周長は、使用可能なウェブＷの最大紙幅の略ｎ／２倍（ｎ＝１〜２）の大きさに設定されている。
【０１３３】
また、新聞用オフセット輪転印刷機１０Ｄは、所定のウェブＷに対してブロード形式の新聞だけでなく、タブロイド形式の新聞を製作（印刷）可能となっている。また、新聞用オフセット輪転印刷機１０Ｄは、所定のウェブＷに対してセクション折が可能となっている。そのため、折機Ｆ４として、カッタ装置９１、第１折ユニット３２、第２折ユニット１０１、第３折ユニット１１１、２つのチョッパ折装置３３ａ，３３ｂが設けられている。なお、第１折ユニット３２と第２折ユニット１０１とチョッパ折装置３３ａ，３３ｂは、前述した実施例４と同様の構成である。
【０１３４】
第１折ユニット３２は、鋸胴４３と折胴４４と咥胴４５を有し、第２折ユニット１０１は、鋸胴１０４と針胴１０５を有している。そして、第３折ユニット１１１は、第１折ユニット３２とほぼ同様の構成をなし、ニッピングローラ１１２，１１３、鋸胴１１４、折胴１１５、咥胴１１６を有している。そして、第３折ユニット１１１とチョッパ折装置３３ｂとの間に、搬送コンベア１１７，１１８が設けられ、各チョッパ折装置３３ａ，３３ｂの間に搬送コンベア１１９が設けられている。
【０１３５】
以下、上述した実施例５の新聞用オフセット輪転印刷機１０Ｄを用いた新聞の制作方法（印刷方法）について具体的に説明する。
【０１３６】
実施例５の新聞用オフセット輪転印刷機１０Ｄにおいて、給紙装置Ｒは、２つの給紙ユニットＲ１，Ｒ２を作動し、ウェブＷをそれぞれ印刷装置Ｕに供給する。すると、印刷装置Ｕにおける各印刷ユニットＵ１，Ｕ２では、供給された各ウェブＷの表裏に対して印刷を行う。このとき、印刷ユニットＵ１，Ｕ２は、前述したように、６種類の刷版１４ａ，１４ｂ，１５ａ，１５ｂ，１６ａ，１６ｂ（または、刷版１４，１５，１６）が、その天地方向が版胴１２の軸方向となるように、版胴１２の軸方向及び周方向に並んで取付けられていることから、ウェブＷには、新聞の長手方向がウェブＷの搬送方向となるように、印刷が行われる。
【０１３７】
続いて、印刷済の各ウェブＷは、搬送中に重ねられて折機Ｆ４に搬送される。この折機Ｆ４にて、まず、カッタ装置９１における２つのカッタ９２が重ねられた２枚のウェブＷを縦方向に沿って３つに裁断する。そして、裁断された３つのウェブＷは、各案内板９３ａ，９３ｂ，９４ａにガイドされ、ガイドローラ９５，９６により搬送されることで重ねられ、第１折ユニット３２または第２折ユニット１０１または第３折ユニット１１１に送られる。
【０１３８】
ここで、ブロード形式の１セクションの新聞を印刷する場合、ウェブＷをニッピングローラ１０２からニッピングローラ４１，４２を介して第１折ユニット３２に送り、ここで、ウェブＷを横裁断すると共に横折した後、チョッパ折装置３３ａにより縦折りする。また、ブロード形式の１セクションの新聞を印刷する場合、ウェブＷをニッピングローラ１０２からニッピングローラ１１２，１１３を介して第３折ユニット１１１に送り、ここで、ウェブＷを横裁断すると共に横折した後、チョッパ折装置３３ｂにより縦折りしてもよい。更に、ブロード形式の１セクションの新聞を印刷する場合、ウェブＷをニッピングローラ１０２からニッピングローラ４１，４２を介して第１折ユニット３２に送ると共に、ニッピングローラ１１２，１１３を介して第３折ユニット１１１に送り、各折ユニット３２，１１１及びチョッパ折装置３３ａ，３３ｂを用いて同時に作業を行ってもよい。
【０１３９】
一方、タブロイド形式の１セクションの新聞を印刷する場合、ウェブＷをニッピングローラ１０２からニッピングローラ１０３を介して第２折ユニット１０１に送り、ここで、ウェブＷを横裁断した後、チョッパ折装置３３ｂにより縦折りする。
【０１４０】
また、ブロード形式の２セクションの新聞を印刷する場合、ウェブＷをニッピングローラ１０２からニッピングローラ４１，４２を介して第１折ユニット３２に送ると共に、ニッピングローラ１１２，１１３を介して第３折ユニット１１１に送る。そして、各折ユニット３２，１１１でウェブＷを横裁断すると共に横折した後、第１折ユニット３２の折帖を搬送コンベア１１９によりチョッパ折装置３３ｂに送り、第１折ユニット３２の折帖と第３折ユニット１１１の折帖を重ねた後、チョッパ折装置３３ｂを用いて縦折りする。
【０１４１】
また、ブロード形式の折帖にタブロイド形式の折帖を重ねて２セクションの新聞を印刷する場合、ウェブＷをニッピングローラ１０２からニッピングローラ４１，４２を介して第１折ユニット３２に送ると共に、ニッピングローラ１０２からニッピングローラ１０３を介して第２折ユニット１０１に送る。そして、第１折ユニット３２でウェブＷを横裁断すると共に横折した後、第１折ユニット３２の折帖を搬送コンベア１１９によりチョッパ折装置３３ｂに送る。また、第２折ユニット１０１でウェブＷを横裁断した後、チョッパ折装置３３ｂに送る。このチョッパ折装置３３ｂでは、第１折ユニット３２の折帖と第２折ユニット１０１の折帖を重ねた後、縦折りする。この場合、第１折ユニット３２に代えて第３折ユニット１１１を用いてもよい。
【０１４２】
更に、ブロード形式の２セレクションの折帖にタブロイド形式の折帖を重ねて３セクションの新聞を印刷する場合、ウェブＷをニッピングローラ１０２からニッピングローラ４１，４２を介して第１折ユニット３２に送り、また、ニッピングローラ１０２からニッピングローラ１０３を介して第２折ユニット１０１に送り、ニッピングローラ１０２からニッピングローラ１１２，１１３を介して第３折ユニット１１１に送る。そして、第１折ユニット３２でウェブＷを横裁断すると共に横折した後、第１折ユニット３２の折帖を搬送コンベア１１９によりチョッパ折装置３３ｂに送る。また、第２折ユニット１０１でウェブＷを横裁断した後、チョッパ折装置３３ｂに送る。更に、第３折ユニット１１１でウェブＷを横裁断すると共に横折した後、この折帖をチョッパ折装置３３ｂに送る。このチョッパ折装置３３ｂでは、第１折ユニット３２の折帖と第２折ユニット１０１の折帖と第３折ユニット１１１の折帖とを重ねた後、縦折りする。
【０１４３】
このように実施例５の新聞用オフセット輪転印刷機にあっては、給紙装置Ｒと、版胴１２及びブランケット胴１３を有する印刷装置Ｕと、折機Ｆ４とを設け、版胴１２の周長を、ブロード形式の新聞の長手方向の大きさの略整数倍に設定している。そして、折機Ｆ４として、印刷済のウェブＷを縦裁断するカッタ装置９１と、ブロード形式の新聞を印刷する第１搬送経路としての第１折ユニット３２と、タブロイド形式の新聞を形成する第２搬送経路としての第２折ユニット１０１と、ブロード形式の新聞を印刷する第３搬送経路としての第３折ユニット１１１とを設けている。
【０１４４】
従って、第１、第３折ユニット３２，１１１によりブロード形式の新聞を印刷することができると共に、第２折ユニット１０１によりタブロイド形式の新聞を印刷することができ、更に、各折ユニット３２，１０１，１１１を同期させることでセクション折が可能となり、装置の汎用性を向上することができる。
【実施例６】
【０１４５】
図１５は、本発明の実施例６に係る新聞用オフセット輪転印刷機を表す概略構成図、図１６は、実施例６の印刷機に適用される折機を表す概略構成図である。なお、上述した実施例と同様の機能を有する部材には、同一の符号を付して詳細な説明は省略する。
【０１４６】
実施例６において、図１５及び図１６に示すように、新聞用オフセット輪転印刷機１０Ｅは、実施例５に対して折機の構成が相違しており、その他の構成はほぼ同様となっている。即ち、新聞用オフセット輪転印刷機１０Ｅは、給紙装置Ｒ、印刷装置Ｕ、第１、第２カッタ装置９１，１２１を有する折機Ｆ５とから構成されている。そして、この新聞用オフセット輪転印刷機１０Ｅによりブロード形式の新聞を製作する場合、幅Ｗが１６２６ｍｍのウェブＷを使用し、新聞の長手方向（幅方向）がウェブＷの搬送方向となるように、このウェブＷに対して印刷を行うようにしている。そして、版胴１２の周長は、ブロード形式の新聞（印刷物）の長手方向の大きさの略整数倍（ｍ＝１〜４）に設定されている。また、版胴１２の周長は、使用可能なウェブＷの最大紙幅の略ｎ／２倍（ｎ＝１〜２）の大きさに設定されている。
【０１４７】
また、新聞用オフセット輪転印刷機１０Ｅは、所定のウェブＷに対してブロード形式の新聞だけでなく、タブロイド形式の新聞を製作（印刷）可能となっている。また、新聞用オフセット輪転印刷機１０Ｅは、所定のウェブＷに対してセレクション折が可能となっている。更に、新聞用オフセット輪転印刷機１０Ｅは、同時に複数の異なる新聞（印刷物）を製作（印刷）可能となっている。そのため、折機Ｆ５として、２つのカッタ装置９１，１２１、第１折ユニット３２、第２折ユニット１０１、第３折ユニット１１１、チョッパ折装置３３ａ，３３ｂが設けられている。なお、各折ユニット３２，１０１，１１１とチョッパ折装置３３ａ，３３ｂは、前述した実施例５と同様の構成である。
【０１４８】
第２カッタ装置１２１は、カッタ装置９１とほぼ同様の構成をなし、このカッタ装置９１の上方に配置される、所謂、バルーンフォーマの形態をなしている。即ち、第２カッタ装置１２１は、重ねられた２枚のウェブＷを縦方向（ウェブＷの搬送方向）に沿ってその幅方向で均等に３つに裁断する２つのカッタ１２２と、このカッタ１２２により裁断された３つのウェブＷをガイドする三角板（フォーマ）からなる３つの案内板１２３ａ，１２３ｂ，１２４ａと、この案内板１２３ａ，１２３ｂによりガイドされた２つのウェブＷを重ねて搬送するガイドローラ１２５と、案内板１２４ａによりガイドされた１つのウェブＷを搬送するガイドローラ１２６とを有している。そして、ガイドローラ１２５，１２６の下方に、３つのウェブＷを重ねて搬送するニッピングローラ１２７，１２８，１２９が設けられ、その下方にニッピングローラ１０３，１１２が設けられている。この場合、上段のガイドローラ１２５はリードインローラであり、下段のガイドローラ１２５はニッピングローラである。
【０１４９】
以下、上述した実施例６の新聞用オフセット輪転印刷機１０Ｅを用いた新聞の制作方法（印刷方法）について具体的に説明する。
【０１５０】
実施例６の新聞用オフセット輪転印刷機１０Ｅにおいて、給紙装置Ｒは、２つの給紙ユニットＲ１，Ｒ２を作動し、ウェブＷをそれぞれ印刷装置Ｕに供給する。すると、印刷装置Ｕにおける各印刷ユニットＵ１，Ｕ２では、供給された各ウェブＷの表裏に対して印刷を行う。このとき、印刷ユニットＵ１，Ｕ２は、前述したように、６種類の刷版１４ａ，１４ｂ，１５ａ，１５ｂ，１６ａ，１６ｂ（または、刷版１４，１５，１６）が、その天地方向が版胴１２の軸方向となるように、版胴１２の軸方向及び周方向に並んで取付けられていることから、ウェブＷには、新聞の長手方向がウェブＷの搬送方向となるように、印刷が行われる。
【０１５１】
続いて、印刷済の各ウェブＷは、搬送中に必要に応じてスリッタ２２により縦裁断され、複数重ねられたウェブＷが折機Ｆ５に搬送される。この折機Ｆ５にて、まず、カッタ装置９１，１２１が重ねられた２枚のウェブＷを縦方向に沿って裁断する。そして、裁断された３つのウェブＷは、第１折ユニット３２、第２折ユニット１０１、第３折ユニット１１１に送られる。
【０１５２】
ここで、例えば、ブロード形式の１セクションの新聞を２種類印刷する場合、ウェブＷをカッタ装置９１から第１折ユニット３２に送り、ここで、ウェブＷを横裁断すると共に横折した後、チョッパ折装置３３ａにより縦折りすることで１種類の新聞を印刷する。また、ウェブＷを第２カッタ装置１２１から第３折ユニット１１１に送り、ここで、ウェブＷを横裁断すると共に横折した後、チョッパ折装置３３ｂにより縦折りすることで別の１種類の新聞を印刷する。
【０１５３】
このように２種類の新聞を印刷する場合、２つのカッタ装置９１，１２１、３つの折ユニット３２，１０１，１１１を組み合わせることで、同時に２種類、または３種類の新聞を印刷することができる。この場合、前述したように、ブロード形式の新聞、タブロイド形式の新聞、２セクションの新聞、３セクションの新聞などを組み合わせることが可能となる。
【０１５４】
このように実施例６の新聞用オフセット輪転印刷機にあっては、給紙装置Ｒと、版胴１２及びブランケット胴１３を有する印刷装置Ｕと、折機Ｆ５とを設け、版胴１２の周長を、ブロード形式の新聞の長手方向の大きさの略整数倍に設定している。そして、折機Ｆ５として、印刷済のウェブＷを縦裁断する２つのカッタ装置９１，１２１と、縦裁断されて重ねられた複数のウェブＷを裁断及び折りを行って新聞を印刷する複数の搬送経路としての３つの折ユニット３２，１０１，１１１と、カッタ装置９１，１２１で縦裁断されたウェブを各折ユニット３２，１０１，１１１に振り分ける振り分け装置としての複数のニッピングローラ１０２，１２９とを設けている。
【０１５５】
従って、カッタ装置９１，１２１及び折ユニット３２，１０１，１１１を選択的に作動させることで、複数種類の異なる新聞を同時に印刷することが可能となり、装置の汎用性を向上することができる。
【０１５６】
なお、この実施例６にて、印刷ユニットＵ１で印刷されたウェブＷを、第２カッタ装置１２１における三角板１２３ａ、１２３ｂ、１２４ａからニッピングローラ１２７，１２８，１２９、ニッピングローラ１０３、第２折ユニット１０１、搬送コンベア１１７，１１８が設けられ、各チョッパ折装置３３ｂを通すことで、タブロイド形式の新聞を作成することもできる。または、ニッピングローラ１２９から第３折ユニット１１１、搬送コンベア１１７，１１８が設けられ、各チョッパ折装置３３ｂを通すことで、ブロード形式の新聞を作成することもできる。更に、印刷ユニットＵ２で印刷されたウェブＷを、第１カッタ装置９１の三角板９３ａ、９３ｂ、９４ａからニッピングローラ１０２，４１，４２、第１折ユニット３２、各チョッパ折装置３３ａを通すことで、タブロイド形式の新聞を作成することもできる。
【０１５７】
また、印刷ユニットＵ１，Ｕ２にて、駆動側と操作側で個別に各胴を駆動することができるように構成することで、上述した実施例により駆動側と操作側とで別々の新聞（印刷）を作成することができる。
【０１５８】
また、実施例６の新聞用オフセット輪転印刷機では、印刷装置Ｕまたは印刷機全体のコンパクト化を実現できるだけでなく、各ユニットＵ１，Ｕ２にて、異なる種類の新聞を同時に作成することができる。また、複数の搬送経路に振り分ける振り分け装置により、作成可能な印刷物の折帳のバリエーションが増える。
【０１５９】
なお、１つの印刷機で異なる種類の新聞を同時に作成する場合は、１つの印刷機で１つの新聞を印刷する場合よりも、印刷ジョブ（印刷ロット）が頻繁に変わることになる。一方、版胴１２の周長をブロード形式の新聞物の長手方向の大きさに合わせて、また、版胴１２の幅をブロード形式の新聞の縦方向の大きさに合わせて適正に設定することで、従来よりも１つの印刷ユニットＵ１，Ｕ２に多くの頁を集約できる。即ち、版交換する場所（印刷ユニットＵ１，Ｕ２）も集約される方向になる。従って、異なる種類の新聞を同時に印刷する場合に、頻繁に発生する印刷ジョブの変更に対しても、作業効率が向上し、準備時間を短縮することができる。
【０１６０】
そして、版胴１２の周長をブロード形式の新聞の長手方向の大きさに合わせて、また、版胴の幅をブロード形式の新聞の縦方向の大きさに合わせて適正に設定することで、ブロード形式の新聞を、従来とほぼ同じサイズで、且つ、従来よりも多くの印刷頁をもって形成することができる。その結果として、印刷装置Ｕまたは印刷機全体のコンパクト化を可能とすることもできる。
【０１６１】
更に、従来機よりも例えば印刷ユニットを削減でき、印刷装置または印刷機全体のコンパクト化を可能とするので、異なる種類の新聞を同時に印刷する場合の制御も従来よりも簡潔な制御とすることができる。
【０１６２】
なお、上述した各実施例では、版胴１２の周長をブロード形式の新聞の長手方向の大きさの略整数倍に設定すると共に、版胴１２の幅をブロード形式の新聞（印刷物）の縦方向の大きさの略整数倍に設定したが、この略整数倍の倍数ｍは、自然数であって、好ましくは、ｍ＝１〜４であるが、この数値に限定されるものではない。また、版胴１２の周長を使用可能なウェブＷの最大紙幅の略ｎ／２倍の大きさに設定し、好ましくは、ｎ＝１〜２であるが、この数値に限定されるものではない。
【０１６３】
また、上述した各実施例では、図３に示すように、版胴１２の周長をブロード形式の新聞の長手方向の大きさの略整数倍に設定するとき、略整数倍の倍数ｍ＝２とし、版胴１２に周面に対して、６種類の刷版１４ａ，１４ｂ，１５ａ，１５ｂ，１６ａ，１６ｂ（または、刷版１４，１５，１６）を、その天地方向が版胴１２の軸方向となるように、版胴１２の軸方向に並んで３つを、周方向に並んで２つ取付けたが、この構成に限定されるものではない。例えば、版胴１２の周長をブロード形式の新聞の長手方向の大きさの略整数倍に設定するとき、略整数倍の倍数ｍ＝１とし、版胴１２に周面に対して、３種類の刷版１４ａ，１５ａ，１６ａ（１４ｂ，１５ｂ，１６ｂ）を、その天地方向が版胴１２の軸方向となるように、版胴１２の軸方向に並んで３つ取付けてもよい。この場合、各折ユニット３２，７１，１０１，１１１では、折胴４４，７４を２回転してシートを重ねずに直ちに排紙すればよい。
【０１６４】
また、上述した各実施例では、印刷物を新聞として説明したが、新聞に限らず、広告、フリーペーパーなどを印刷することもできる。
【０１６５】
更に、上述した各実施例にて、本発明の印刷機を新聞用オフセット輪転印刷機としたが、この印刷機に限定されるものではなく、商業用オフセット輪転印刷機などに適用することもできる。
【符号の説明】
【０１６６】
Ｒ  給紙装置
Ｒ１，Ｒ２  給紙ユニット
Ｕ  印刷装置
Ｕ１，Ｕ２，Ｕ１１〜Ｕ２２  印刷ユニット
Ｄ  ウェブパス装置
Ｄ１，Ｄ２  ウェブパスユニット
Ｆ，Ｆ１，Ｆ２，Ｆ３，Ｆ４，Ｆ５  折機
１０，１０Ａ，１０Ｂ，１０Ｃ，１０Ｄ，１０Ｅ  新聞用オフセット輪転印刷機（印刷機）
１２  版胴（印刷胴）
１３  ブランケット胴（印刷胴）
１４，１４ａ，１４ｂ，１５，１５ａ，１５ｂ，１６，１６ａ，１６ｂ  刷版
２２  スリッタ（カッタ装置）
３２，７１  折ユニット、第１折ユニット（第１搬送経路）
３３，３３ａ，３３ｂ  チョッパ折装置
９１，１２１  カッタ装置
１０１  第２折ユニット（第２搬送経路）
１１１  第３折ユニット（第３搬送経路）
Ｗ  ウェブ
Ｓ  シート
Ｓ１，Ｓ２  シート束
Ｎ  折帖（新聞）
【図１】
2012158055.tif 000003
【図２】
2012158055.tif 000004
【図３】
2012158055.tif 000005
【図４】
2012158055.tif 000006
【図５】
2012158055.tif 000007
【図６−１】
2012158055.tif 000008
【図６−２】
2012158055.tif 000009
【図７】
2012158055.tif 000010
【図８】
2012158055.tif 000011
【図９】
2012158055.tif 000012
【図１０】
2012158055.tif 000013
【図１１】
2012158055.tif 000014
【図１２】
2012158055.tif 000015
【図１３】
2012158055.tif 000016
【図１４】
2012158055.tif 000017
【図１５】
2012158055.tif 000018
【図１６】
2012158055.tif 000019